(57)【要約】【課題】シャワー水の噴出範囲を大きくしてシャワー水の当たりを柔らかくしたり、あるいはシャワー水の噴出範囲を狭く絞ってマッサージ効果を得るといった変更を容易かつ適切に行なうことが可能なシャワー装置を提供する。【解決手段】散水板３の複数のノズル孔３１のうち、過半数以上のノズル孔３１は、散水板３の表面３０ａ側に開口する一端開口部３１ａが裏面３０ｂ側に開口する他端開口部３１ｂよりも散水板３の中心から遠くなる方向に傾いており、シャワーヘッド本体部２に対して散水板３をその表面３０ａ側が前面側となるように取り付けた状態では、シャワー水は広がり状態となる一方、散水板３をその裏面３０ｂ側が前面側となるように取り付けた状態においては、シャワー水は狭まり状態となる。【選択図】  図２
2015066006.tif 000002
【特許請求の範囲】
【請求項１】
少なくとも１つのシャワーヘッドを備えており、
このシャワーヘッドは、複数のノズル孔が設けられた散水板がシャワーヘッド本体部に取り付けられ、かつ配管部材を介して前記シャワーヘッド本体部内に供給された湯水が前記複数のノズル孔を通過して外部に噴出するように構成されている、シャワー装置であって、
前記散水板の複数のノズル孔のうち、過半数以上のノズル孔は、前記散水板の表面側に開口する一端開口部が裏面側に開口する他端開口部よりも前記散水板の中心から遠くなる方向に傾いて形成されているとともに、
前記散水板は、前記シャワーヘッド本体部への取り付けの向きを表裏反転させることが可能とされており、
前記シャワーヘッド本体部に対し、前記散水板をその表面側が前面側となるように設定した第１の取付け状態においては、前記複数のノズル孔から噴出するシャワー水は広がり状態となる一方、前記散水板をその裏面側が前面側となるように設定した第２の取付け状態においては、前記シャワー水は狭まり状態となるように構成されていることを特徴とする、シャワー装置。
【請求項２】
請求項１に記載のシャワー装置であって、
前記散水板は、金属板を用いて構成されており、かつ前記各ノズル孔は、前記金属板の表裏両面からエッチング処理を施すことにより形成された一対の凹部が互いに連通し、かつ前記金属板の厚み方向の略中心位置において内径が最も小さくされた貫通孔とされている、シャワー装置。
【請求項３】
請求項２に記載のシャワー装置であって、
前記散水板は、前記金属板の表面が凸状の湾曲面とされ、かつ裏面が凹状の湾曲面となるように前記金属板にプレス加工を施すことにより形成されている、シャワー装置。
【請求項４】
請求項３に記載のシャワー装置であって、
前記散水板の周縁部は、非湾曲状のフランジ部とされており、
前記シャワーヘッド本体部に対する前記散水板の取り付けは、前記シャワーヘッド本体部に螺合装着可能に形成されたリング状の押さえ部材と前記シャワーヘッド本体部との両者間に前記フランジ部を挟み込むことにより行なわれる構成とされている、シャワー装置。
【請求項５】
請求項１ないし４のいずれかに記載のシャワー装置であって、
前記シャワーヘッドとして、複数のシャワーヘッドを備えており、
これら複数のシャワーヘッドのそれぞれのシャワーヘッド本体部は、浴槽の壁面に固定して取り付けられる筐体内に組み込まれており、
前記筐体のうち、前記シャワーヘッド本体部に対向する部分には、開口部が設けられ、この開口部を介して前記シャワーヘッド本体部への前記散水板の着脱が可能とされている、シャワー装置。
【発明の詳細な説明】
【技術分野】
【０００１】
本発明は、浴室に設置されて使用されるシャワー装置に関する。ここで、「浴室」の概念には、浴槽が設置されていないシャワールームも含まれる。
【背景技術】
【０００２】
従来、シャワー装置として、ホースの先端部にシャワーヘッドを取り付けたハンドシャワータイプのものや、浴室の壁面または浴室の壁面に取り付けられた筐体にシャワーヘッドを固定して取り付けたものなどが広く知られている。このようなシャワー装置としては、シャワー水の噴出方向やシャワー噴出水量を調整可能としたものは種々提案されているものの、シャワー水の噴出状態を広がり状態と狭まり状態とのいずれかに選択的に切替え変更可能としたものは提案されていない。
この点をより詳細に説明すると、入浴者がシャワーを浴びる場合、たとえばシャワー水量をかなり多くした状態のままで、湯水の噴出範囲を狭く絞りたいような場合がある。湯水の噴出範囲を狭く絞れば、シャワー水によるマッサージ効果が得られる。一方、これとは反対に、湯水の噴出範囲を大きくし、柔らかい刺激のシャワー水を大量または適量だけ浴びたいような場合もある。
ところが、従来においては、前記したような湯水の噴出範囲の変更を簡易な構成によって適切に行なうことが可能なシャワー装置は提案されていないのが実情である。したがって、そのような機能をもったシャワー装置を提案することが望まれる。
【０００３】
従来のシャワー装置としては、たとえば特許文献１に記載されているように、水の噴出の仕方が異なる複数種類のシャワーヘッドを設置しておき、ユーザが複数種類のシャワーヘッドのうちのいずれかを適宜選択して使用できるようにしたものがある。ただし、このような手段によれば、構造が大きく相違する複数種類のシャワーヘッドを用いる必要がある。したがって、その製造コストは高いものとなる。
【先行技術文献】
【特許文献】
【０００４】
【特許文献１】実用新案登録第２５４８９０６号公報
【発明の概要】
【発明が解決しようとする課題】
【０００５】
本発明は、前記したような事情のもとで考え出されたものであり、シャワー水の噴出範囲を大きくしてシャワー水の当たりを柔らかくしたり、あるいはシャワー水の噴出範囲を狭く絞ってマッサージ効果を得るといった変更を容易かつ適切に行なうことが可能なシャワー装置を提供することを、その課題としている。
【課題を解決するための手段】
【０００６】
上記の課題を解決するため、本発明では、次の技術的手段を講じている。
【０００７】
本発明により提供されるシャワー装置は、少なくとも１つのシャワーヘッドを備えており、このシャワーヘッドは、複数のノズル孔が設けられた散水板がシャワーヘッド本体部に取り付けられ、かつ配管部材を介して前記シャワーヘッド本体部内に供給された湯水が前記複数のノズル孔を通過して外部に噴出するように構成されている、シャワー装置であって、前記散水板の複数のノズル孔のうち、過半数以上のノズル孔は、前記散水板の表面側に開口する一端開口部が裏面側に開口する他端開口部よりも前記散水板の中心から遠くなる方向に傾いて形成されているとともに、前記散水板は、前記シャワーヘッド本体部へ
の取り付けの向きを表裏反転させることが可能とされており、前記シャワーヘッド本体部に対し、前記散水板をその表面側が前面側となるように設定した第１の取付け状態においては、前記複数のノズル孔から噴出するシャワー水は広がり状態となる一方、前記散水板をその裏面側が前面側となるように設定した第２の取付け状態においては、前記シャワー水は狭まり状態となるように構成されていることを特徴としている。
【０００８】
このような構成によれば、次のような効果が得られる。
すなわち、シャワーヘッド本体部への散水板の取付け状態を、第１の取付け状態と第２の取付け状態とのいずれかに切り替えることにより、シャワー水の噴出状態を広がり状態と狭まり状態とのいずれかに選択的に切り替えることが可能である。シャワー水の広がり状態や狭まり状態は、シャワー水の噴出水量には殆ど関係なく生じさせることができる。したがって、シャワー水の噴出範囲を大きくして全身または略全身を柔らかく包むような感覚のシャワー水を浴びたり、あるいはシャワー水が狭く絞られてマッサージ効果が得られるシャワー水を浴びるといった変更を適切に行なうことが可能となり、ユーザの幅広い要望に的確に応えることができる。
シャワー水の噴出状態を広がり状態と狭まり状態とのいずれか一方から他方に切り替えるには、シャワーヘッド本体部に対する散水板の取り付けの向きを変更すればよい。したがって、その変更作業も容易であり、ユーザにとって便利である。
さらに、本発明においては、散水板の取り付けの向きを変更することによって、各ノズル孔がシャワー用の湯水を利用して逆洗浄される作用も得られる。したがって、各ノズル孔の目詰まり防止、あるいは目詰まりの解消を図るのにも有効である。
【０００９】
本発明において、好ましくは、前記散水板は、金属板を用いて構成されており、かつ前記各ノズル孔は、前記金属板の表裏両面からエッチング処理を施すことにより形成された一対の凹部が互いに連通し、かつ前記金属板の厚み方向の略中心位置において内径が最も小さくされた貫通孔とされている。
【００１０】
このような構成によれば、各ノズル孔をエッチング処理によって微小径に形成することが容易となる。また、各ノズル孔が金属板の厚み方向の略中心位置において内径が最も小さい形態とされていれば、散水板を第１の取付け状態と第２の取付け状態とのいずれの取付け状態に設定した場合であっても、各ノズル孔を通過する湯水の流れ方（湯水の絞られ方など）が同様となり、シャワー水流自体に大きな変化を生じないようにし、入浴者に違和感を与えないようにすることができる。
【００１１】
本発明において、好ましくは、前記散水板は、前記金属板の表面が凸状の湾曲面とされ、かつ裏面が凹状の湾曲面となるように前記金属板にプレス加工を施すことにより形成されている。
【００１２】
このような構成によれば、次のような効果が得られる。すなわち、散水板の製造に際して、散水板を構成する平板状の金属板に複数のノズル孔を厚み方向に貫通した状態で形成しておき、その後に前記金属板にプレス加工を施して湾曲させれば、複数のノズル孔を所定の状態（ノズル孔のうち、散水板の表面側に開口する一端開口部が裏面側に開口する他端開口部よりも散水板の中心から遠くなる方向に傾いた状態）に傾斜させることが可能である。したがって、前記構成によれば、金属板に複数のノズル孔を形成する際に、このノズル孔を斜めに傾斜させた状態に形成する必要はなく、散水板の製造が容易となる。
【００１３】
本発明において、好ましくは、前記散水板の周縁部は、非湾曲状のフランジ部とされており、前記シャワーヘッド本体部に対する前記散水板の取り付けは、前記シャワーヘッド本体部に螺合装着可能に形成されたリング状の押さえ部材と前記シャワーヘッド本体部との両者間に前記フランジ部を挟み込むことにより行なわれる構成とされている。
【００１４】
このような構成によれば、シャワーヘッド本体部に対する散水板の取付け構造を簡易にしつつ、散水板の着脱作業や取り付けの向きの変更作業を、より的確かつ容易に行なうことが可能となる。
【００１５】
本発明において、好ましくは、前記シャワーヘッドとして、複数のシャワーヘッドを備えており、これら複数のシャワーヘッドのそれぞれのシャワーヘッド本体部は、浴槽の壁面に固定して取り付けられる筐体内に組み込まれており、前記筐体のうち、前記シャワーヘッド本体部に対向する部分には、開口部が設けられ、この開口部を介して前記シャワーヘッド本体部への前記散水板の着脱が可能とされている。
【００１６】
このような構成によれば、複数のシャワーヘッドのうち、全てまたは一部の散水板を第１の取付け状態とし、かつ残りを第２の取付け状態とするなどして、シャワー水の噴出の仕方のバリエーションを多くすることができる。また、散水板の着脱は、筐体に設けられた開口部を介してその正面側から行なうことができるために、散水板の向きの変更作業なども、やはり容易に行なうことが可能となる。
【００１７】
本発明のその他の特徴および利点は、添付図面を参照して以下に行なう発明の実施の形態の説明から、より明らかになるであろう。
【図面の簡単な説明】
【００１８】
【図１】（ａ）は、本発明に係るシャワー装置の概略正面図であり、（ｂ）は、その右側面図である。
【図２】(ａ)は、図１（ｂ）のIIa部分の拡大断面図であり、（ｂ）は、散水板を（ａ）の場合とは表裏反転させた状態での使用例を示す要部拡大断面図である。
【図３】図１に示すシャワー装置の要部分解断面図である。
【図４】（ａ）は、図１に示すシャワー装置で用いられているシャワーヘッドの正面図であり、（ｂ）は、（ａ）のIVｂ−IVｂ断面図である。
【図５】（ａ）〜（ｃ）は、図１に示すシャワー装置の構成部品である散水板のノズル孔の加工方法の一例を示す要部拡大断面図である。
【図６】（ａ），（ｂ）は、図１に示すシャワー装置の構成部品である散水板の製造方法の一例を示す断面図である。
【図７】（ａ）〜（ｃ）は、図１に示すシャワー装置におけるシャワー水の噴出の仕方のバリエーションの例を示す要部正面図である。
【発明を実施するための形態】
【００１９】
以下、本発明の好ましい実施の形態について、図面を参照して具体的に説明する。
【００２０】
図１に示すシャワー装置Ａは、給湯用の混合栓９０が設置された浴室の壁面９１に取り付けられた筐体１、この筐体１の上部に固定して取り付けられた複数（本実施形態では、３つ）のシャワーヘッドＨ、およびハンドシャワー８を備えている。
【００２１】
筐体１は、たとえば上下縦長状に延びた正面視略矩形の薄型ボックス状であり、その前面部には、矩形の鏡１９が取り付けられている。混合栓９０は、筐体１の下部の手前側に突出するように設置されており、給湯のオン・オフ操作や給湯温度調整操作などが可能とされている。
【００２２】
複数のシャワーヘッドＨは、筐体１の上部に横一列の配列で設けられており、混合栓９０から供給される湯水を噴出可能である。このための手段として、筐体１内には、混合栓９０の湯水供給口９０ａと各シャワーヘッドＨとを接続する配管部７０，７１が設けられ
ている。配管部７０，７１間には、操作レバー７５を用いて流路の切替え動作が可能な三方弁Ｖ１が設けられており、混合栓９０からの湯水が配管部７１を介して複数のシャワーヘッドＨに供給され状態、湯水が配管部７２を介してハンドシャワー８の接続ホース８０に供給される状態、および湯水の供給が停止された状態のいずれかに切替え設定可能とされている。ハンドシャワー８は、従来既知のものと同様であり、その説明は省略する。
【００２３】
複数のシャワーヘッドＨのそれぞれは、構造および各部のサイズが同一のものである（後述する散水板３の向きは除く）。図４に示すように、各シャワーヘッドＨは、シャワーヘッド本体部２、散水板３、および押さえ部材４を備えている。シャワーヘッド本体部２は、樹脂製であり、前面側が開口した凹状のチャンバ２０ａを形成する正面視略円形状の主要部２０の下部に、配管連結用の筒状部２１が連設された構成を有している。シャワーヘッド本体部２は、図２および図３に示すように、筒状部２１が配管部材７１に連結された状態で筐体１内に固定されている。この固定を確実化するための手段として、たとえばシャワーヘッド本体部２の外面部に設けられた係合用の凸状部２０ｂに、筐体１に固定されたブラケット部材１８の一端を連結し、このブケラット部材１８を利用してシャワーヘッド本体部２の固定支持を図る手段が適宜採用されている。筐体１の上部前面には、斜め下方を向いた傾斜板部１２が設けられ、かつこの傾斜板部１２には開口部１３が設けられており、シャワーヘッド本体部２は、開口部１３にチャンバ２０ａやその周囲の部分が対面するように設定されている。
【００２４】
散水板３は、チャンバ２０ａ内の湯水を通過させるための複数のノズル孔３１が貫通して設けられたものである。この散水板３の構成の詳細については後述するが、この散水板３は、シャワーヘッド本体部２のチャンバ２０ａの前面開口部を塞ぐように配された上で、シール用リング６とともに、シャワーヘッド本体部２と押さえ部材４との間に挟み込まれている。押さえ部材４は、内筒部４０と外筒部４１とを有しており、内筒部４０のネジ部４２をシャワーヘッド本体部２のネジ部２２に螺合させることによりシャワーヘッド本体部２への取り付け、およびその取り外しが可能とされている。このことにより、散水板３の向きを、図２（ａ）に示す向きと、同図（ｂ）に示す向きとのいずれにも設定変更可能である。押さえ部材４をシャワーヘッド本体部２に取り付けた状態においては、筐体１の開口部１３の隙間部分は押さえ部材４の外筒部４１によって塞がれるようになっている。
【００２５】
散水板３は、ステンレス板などの金属板３０を用いて構成されており、各ノズル孔３１は、金属板３０にエッチング処理を施すことにより形成され、図２（ａ）の要部拡大図に示すように、金属板３０の厚み方向の中心線ＣＬ１を挟む両側部分は対称である。各ノズル孔３１は、たとえば図５に示すようなエッチング処理工程を経て形成されている。
【００２６】
具体的には、まず図５（ａ）に示すように、金属板３０の表裏両面３０ａ，３０ｂにレジスト層としてのマスキング層５を形成しておく。その際、金属板３０のうち、最終的にノズル孔３１とされる部分は、非マスキング部分３８ａ，３８ｂとされる。次いで、同図（ｂ）に示すように、エッチング処理液中に金属板３０を浸漬させるなどして、エッチングを行なう。すると、金属板３０の表面３０ａ側および裏面３０ｂ側に凹部３３ａ，３３ｂがそれぞれ形成されてこれらが拡大する結果、これら凹部３３ａ，３３ｂどうしは互いに連通する。この段階でエッチング処理を終了し、マスキング層５を除去すると、同図（ｃ）に示すように、中間部分が小径に括れた形態のノズル孔３１が形成された金属板３０が得られる。このような手法によれば、ノズル孔３１として、厚み方向中心部の最小径ｄ１が、たとえば０．３ｍｍ程度の微小サイズのノズル孔を形成することができる。ノズル孔３１をこのような微小径にすると、複数のノズル孔３１を通過したシャワー水は、水流が相当に細く、入浴者の身体に柔らかく作用するものとなる。ノズル孔３１を前記したような微小径に形成することは、樹脂成形の手法では難しい。
【００２７】
散水板３は、図６（ａ），（ｂ）に示すように、前記したノズル孔３１を複数形成した平板状の金属板３０に、この金属板３０を部分的な球面状に湾曲させるプレス加工を施すことにより構成されている。このプレス加工は、具体的には、金属板３０の表面３０ａを凸状の湾曲面とし、かつ裏面３０ｂを凹状の湾曲面とするプレス加工である。散水板３の周縁部は、非湾曲状のフランジ部３４とされている。このフランジ部３４は、図２に示すように、押さえ部材４とシャワーヘッド本体部２とによって挟まれる部分となる。なお、各ノズル孔３１は、図６（ａ）に示す状態において、上下対称の形状であるため、金属板３０を表裏いずれの方向からプレス加工しても同じ構造の散水板３が製造される。したがって、プレス加工に際し、そのプレス加工の方向を間違えて不良品が発生するといった虞はない。
【００２８】
散水板３の表面３０ａおよび裏面３０ｂが前記した湾曲状である結果、図６（ｂ）に示すように、中央に位置する１つのノズル孔３１を除き、これ以外の他のノズル孔３１は、その中心線ＣＬ２が散水板３の中心線ＣＬ０に対して傾斜した貫通孔となっている。具体的には、各ノズル孔３１の中心線ＣＬ２は、散水板３の表面３０ａおよび裏面３０ｂの曲率中心（図示略）に集束するように傾いている。この構成を換言すると、各ノズル孔３１は、図２（ａ）の部分拡大図に示すように、各ノズル孔３１は、散水板３の表面３０ａ側に開口する一端開口部３１ａが裏面３０ｂ側に開口する他端開口部３１ｂよりも散水板３の中心（中心線ＣＬ０）から遠くなる方向に傾いている。
【００２９】
次に、前記した構成のシャワー装置Ａの作用について説明する。
【００３０】
まず、図２（ａ），（ｂ）に示すように、シャワーヘッド本体部２に対する散水板３の取り付けの向きは、変更することが可能である。同図（ａ）に示すように、散水板３をその表面３０ａが前面側となるように設定した第１の取付け状態においては、複数のノズル孔３１から噴出するシャワー水は広がり状態となる。このようなシャワー態様によれば、たとえば入浴者の略全身を柔らかく包み込むようなシャワー浴が可能となる。これに対し、同図（ｂ）に示すように、散水板３をその裏面３０ｂが前面側となるように設定した第２の取り付け状態においては、シャワー水は狭まり状態となる。このようなシャワー水は、入浴者の身体をマッサージする効果を生じさせる。ユーザは、これら２種類のシャワー水の噴出状態のいずれかを任意に選択することが可能であり、シャワー水の噴出状態の切替えができないシャワー装置と比較すると、ユーザの幅広いニーズに応え得るものとなる。各ノズル孔３１は、散水板３の厚み方向の中心部が最も小径に括れた形態を有し、厚み方向中心線ＣＬ１の両側は対称形状であるために、散水板３を表裏反転させたとしても、シャワー水の水流自体には大きな変化を生じないようにすることも可能である。
【００３１】
前記したシャワー水の噴出態様の切り替えは、散水板３の向きを変更するだけでよい。この作業は、押さえ部材４を手で把持して回転させ、シャワーヘッド本体部２との螺合接続を解除させて取り外すことにより行なえばよい。したがって、散水板３の向きを変更する作業も容易であり、ユーザにとって便利である。また、前記したように、散水板３の表裏を反転させれば、各ノズル孔３１の詰まりを防止または抑制する効果も得られる。具体的には、図２（ａ）の第１の取付け状態においては、散水板３の裏面３０ｂ側において各ノズル孔３１に詰まりを生じ易いが、この状態から図２（ｂ）の第２の取付け状態に設定すると、前記した詰まりを生じ易い部分が前面側となるために、各ノズル孔３１がこのノズル孔３１を通過する湯水によって逆洗浄される状態となり、詰まりを解消する効果が期待できることとなる。
【００３２】
このシャワー装置Ａにおいては、３つのシャワーヘッドＨを有しているために、たとえば図７に示すようなシャワー態様に設定することが可能である。
より具体的には、同図（ａ）においては、３つのシャワーヘッドＨ（Ｈ１〜Ｈ３）の全てが、図２（ａ）に示した散水板３の第１の取付け状態に設定されている。このような設定によれば、各シャワーヘッドＨから噴出されるシャワー水がいずれも広がり状態となり、入浴者の身体の全体を柔らかく包むようにしたシャワー水を浴びることができる。図７（ｂ）においては、左右両側のシャワーヘッドＨ１，Ｈ３が第１の取付け状態とされ、かつ中央のシャワーヘッドＨが図２（ｂ）に示した第２の取付け状態とされている。図７（ｃ）においては、図７（ｂ）とは反対に、中央のシャワーヘッドＨ２が第１の取付け状態とされ、かつ左右両側のシャワーヘッドＨ１，Ｈ３が第２の取付け状態とされている。同図（ｂ），（ｃ）に示す設定状態によれば、同図（ａ）とは異なり、シャワー水の一部を部分的に集中させた状態で浴び、マッサージ効果を得るといったことが可能となる。図面には示していないが、３つのシャワーヘッドＨの全てを第２の取付け状態に設定するといったことも可能である。このように、本実施形態のシャワー装置Ａによれば、複数のシャワーヘッドＨとして同一構造のものを用いていながらも、シャワー水の噴出の仕方に多くのバリエーションをもたせることができる。
【００３３】
本発明は、上述した実施形態の内容に限定されない。本発明に係るシャワー装置の各部の具体的な構成は、本発明の意図する範囲内において種々に設計変更自在である。
【００３４】
上述の実施形態では、散水板のノズル孔は、散水板の厚み方向の中心を挟む両側部分が互いに対称である形状とされているが、本発明はこれに代えて、ノズル孔を非対称の形状としてもよい。また、上述の実施形態では、散水板のノズル孔を所定の傾斜状態（散水板の表面側に開口する一端開口部が裏面側に開口する他端開口部よりも散水板の中心から遠くなる方向に傾いた状態）に形成するための手段として、散水板を湾曲状に形成しているが、やはり本発明にこれに限定されない。余り現実的ではないが、散水板を平板状のままとし、かつ複数のノズルを散水板の厚み方向に対して斜めに傾けた角度に形成した構成とすることも可能である。
【００３５】
散水板を表裏反転させることによってシャワー水の広がり状態と狭まり状態とを切り替えることを実現させるには、散水板の複数のノズル孔のうち、過半数以上のノズル孔が前記した所定の傾斜状態に形成されていればよい。したがって、複数のノズル孔の全て、または略全てが所定の傾斜状態に形成されていなくてもよい。ノズル孔としては、上述したような微小径のものに代えて、比較的大きめの内径のものにすることも可能であり、内径の具体的な寸法は問わない。また、断面形状や開口部の形状も問わない。散水板は、金属製に限らず、たとえば樹脂製とすることも可能である。
【００３６】
本発明に係るシャワー装置は、本発明が意図する構成のシャワーヘッドを少なくとも１つ具備していればよい。したがって、ハンドシャワータイプのシャワー装置として構成することも可能であり、シャワーヘッドが浴室の壁面や、壁面に取り付けられた筐体に固定されていない構成とすることもできる。シャワーヘッドを複数設ける場合には、上述した実施形態のように、３つのシャワーヘッドに限らず、２つ、あるいは４つ以上とすることもできる。複数のシャワーヘッドの具体的な配列も問わず、横一列とは異なる配列としてもよいことは勿論である。
【符号の説明】
【００３７】
Ａ  シャワー装置
Ｈ  シャワーヘッド
１  筐体
２  シャワーヘッド本体部
３  散水板
４  押さえ部材
１３  開口部（筐体の）
３０  金属板
３０ａ  金属板の表面（散水板の表面）
３０ｂ  金属板の裏面（散水板の裏面）
３１  ノズル孔
３１ａ  一端開口部（ノズル孔の）
３１ｂ  他端開口部
３４  フランジ部（散水板の）
９１  浴室の壁面
【図１】
2015066006.tif 000003
【図２】
2015066006.tif 000004
【図３】
2015066006.tif 000005
【図４】
2015066006.tif 000006
【図５】
2015066006.tif 000007
【図６】
2015066006.tif 000008
【図７】
2015066006.tif 000009